(57)【要約】      （修正有）【課題】転写した箇所を視認し易く、且つその後消色することで転写した箇所を目立たなくし得る特性を有する転写具を提供する。【解決手段】特定の波長を有する紫外光が照射されると発色し自然条件下の光が照射されると無色となるフォトクロミック化合物を含むことにより自然条件下の光が照射されると発色状態から消色状態となる転写物たる粘着剤３１と、発色状態にある前記転写物を可視光から遮光された状態で収納し、粘着剤３１の前記発色状態を維持する遮光性容器たるリフィル２とを具備し、このリフィル２が、外壁に配置された部品同士の接合部を外方から遮光し得るように構成している遮光接続部を有していることを特徴とする。【選択図】図１
2013095126.tif 000002
【特許請求の範囲】
【請求項１】
光が照射されると変色する転写物と、
前記転写物を遮光した状態で収納する遮光性容器とを具備し、
この遮光性容器が、外壁に配置された部品同士の接合部を外方から遮光し得るように構成している遮光接続部を有していることを特徴とする転写具。
【請求項２】
前記転写物が特定の波長を有する紫外光が照射されると発色し可視光又は自然条件下の光が照射されると無色となるフォトクロミック化合物を含むことにより自然条件下の光が照射されると発色状態から消色状態となるものであり、
前記遮光性容器が発色状態にある前記転写物を可視光又は自然条件下の光から遮光された状態で収納し、前記転写物の前記発色状態を維持し得るものである請求項１記載の転写具。
【請求項３】
遮光接続部が、前記遮光性容器の外壁の厚み方向に重なる重なり面を有する重層接続部である請求項１又は２記載の転写具。
【請求項４】
前記重層接続部を、転写物を巻回保持する巻回軸部と、巻回軸部を保持する容器本体との間に設けている請求項３記載の転写具
【請求項５】
前記遮光接続部を、転写物を転写対象物に転写するための転写ヘッドを露出した露出位置と、転写ヘッドを遮光した状態で被覆する遮光位置との間で動作可能に設けられたキャップに設けている請求項１、２、３又は４記載の転写具。
【請求項６】
前記キャップを前記遮光位置でロックするロック部を設けている請求項５記載の転写具。
【請求項７】
前記ロック部が作動する前記遮光位置まで前記キャップを動作させることを促すための遮光動作惹起部を有している請求項６記載の転写具。
【請求項８】
前記遮光動作惹起部が、前記キャップを前記遮光位置の近傍で前記露出位置へ向けて弾性付勢する弾性付勢部を有している請求項７記載の転写具。
【発明の詳細な説明】
【技術分野】
【０００１】
本発明は、粘着剤等の転写物を転写対象面に転写する際に用いる転写具に関するものである。
【背景技術】
【０００２】
従来、糊を紙等に塗布するための製品の一つとして、糊を塗布した後、当該糊の色が徐々に薄くなっていく特性を有するスティック糊が広く用いられている（例えば、非特許文献１参照）。このスティック糊においては、アルカリ性を呈する固形糊にｐＨ指示薬を混合しておくことにより有色状態で密閉された筐体に収容されている。そして有色状態にある固形糊は塗布された後、空気に触れることによって前記ｐＨ指示薬の色が消えていく、すなわち消色していくものとなっている。このような糊は、塗布直後には塗布した箇所が使用者にとって明確に視認され得ることで塗り残しが生じた箇所が容易に判別できるという利点に加え、上記の通りその後無色となるために使用した箇所が目立たないという利点をも有し、これらの利点が使用者に広く用いられる大きな要因となっている。
【０００３】
そして現在、粘着剤等の転写物を紙等に転写する転写具においても、粘着剤を転写した箇所がより明確に視認し得るように、より強く発色し、且つ転写後にはより目立たなくなるよう消色し得るものが求められている。
【０００４】
ところで、光が照射されると変色するものの一例として、特定の波長の光が照射されることにより発色し、また別の特定の波長の光が照射されると無色となるという特性を有するフォトクロミック化合物が知られている。このフォトクロミック化合物の多くは、特定の波長の紫外光を照射することにより明確に発色し得るとともに、特定の波長の可視光を照射することにより無色となるという特性を有している（例えば、特許文献１参照）。
【０００５】
しかしながらこのフォトクロミック化合物については、自然条件の光に照射されることで無色となる特性を有するものは知られているものの（例えば、特許文献２参照）、転写具のケース内にそのまま用いた場合では、遮光した状態を安定して維持することができないことから有色の状態を保持することができず、徐々に消色してしまう。
【先行技術文献】
【特許文献】
【０００６】
【特許文献１】特許第４４９９４４３号公報
【特許文献２】特許第４５７８６２３号公報
【非特許文献】
【０００７】
【非特許文献１】「コクヨ２０１１総合カタログ」、ステーショナリー編、コクヨ株式会社、２００８年１２月発行、Ｐ．５１９
【発明の概要】
【発明が解決しようとする課題】
【０００８】
本発明は、上述したような点を踏まえたものであり、光が照射されても変色せず、長期間安定して維持する転写具を提供することを目的としている。
【課題を解決するための手段】
【０００９】
本発明は、このような目的を達成するために、次のような手段を講じたものである。
【００１０】
すなわち本発明に係る転写具は、光が照射されると変色する転写物と、前記転写物を遮光した状態で収納する遮光性容器とを具備し、この遮光性容器が、外壁に配置された部品同士の接合部を外方から遮光し得るように構成している遮光接続部を有していることを特徴とする。
【００１１】
このようなものであれば、遮光性容器内で変色する前の状態に安定して維持された転写物が転写される転写具を提供することができる。
【００１２】
または、光を照射するとより目立たないように消色するとともに当該消色を安定して起こり得るようにするためには、転写物を、特定の波長を有する紫外光が照射されると発色し可視光又は自然条件下の光が照射されると無色となるフォトクロミック化合物を含むことにより可視光又は自然条件下の光が照射されると発色状態から消色状態となるものとし、遮光性容器を、発色状態にある前記転写物を可視光又は自然条件下の光から遮光された状態で収納し、前記転写物の前記発色状態を維持し得るものとすることが望ましい。
【００１３】
ここで、「自然条件下の光」とは、太陽光や室内灯に照射された条件下での光を意味する。具体的には可視光を主体とし、太陽光に含まれる５〜６％程度の紫外光や蛍光灯に含まれる微量の紫外光が含まれる光のことである。すなわち、太陽光と同じか、それ以下の割合で紫外光を含んでいる光のことを指す。
【００１４】
加えて、本発明における「消色状態」とは、完全に無色となる態様のみならず、無色に近づくように退色している態様をも含むとともに、当該退色した態様のまま維持されている状態をも含む概念である。
【００１５】
また、発色状態を安定して維持できるものを得るためには、フォトクロミック化合物が、例えばジアリールエテン系のフォトクロミック化合物であることが望ましいが、太陽光が照射される条件や室内灯が照射されているような自然条件下で安定して消色状態となるものであればよい。また勿論、上記のジアリールエテン系のフォトクロミック化合物のみならず、他の既存のもの、又は今後発見されるものであっても、「特定の波長を有する紫外光が照射されると発色し自然条件下の光が照射されると無色となる」という特性が満たされるものであればよい。
【００１６】
このようなものであれば、遮光性容器内で発色状態に安定して維持された転写物が転写されることとなるので、フォトクロミック化合物自体の発色により転写物を転写した位置の確認が容易であり且つ転写時における転写物の転写位置がより容易に視認できるとともに、自然条件下の光のもとで転写物は消色状態となるので転写した跡を目立たなくし得る転写具を提供することができる。
【００１７】
また、遮光接続部の構成は、例えば密閉構造としたり、格別の部材により被覆したりするなど種々の構成が考え得るが、外壁に配置された部品同士のみで構成でき、しかも部品同士の相対動作を有効に担保できる構成としては、この遮光接続部を、遮光性容器の外壁の厚み方向に重なる重なり面を有する重層接続部とする態様を挙げることができる。
【００１８】
加えて、斯かる重層接続部を、転写物を巻回保持する巻回軸部と、巻回軸部を保持する容器本体との間に設けたものとすれば、遮光性容器の遮光性と動作性を両立することができる。
【００１９】
また、上記した重層接続部を、転写物を転写対象物に転写するための転写ヘッドを露出した露出位置と、転写ヘッドを遮光した状態で被覆する遮光位置との間で動作可能に設けられたキャップに設けるようにすれば、開閉することにより最も光が入り易い当該箇所を確実に遮光することができる。
【００２０】
そしてキャップに設けた重層接続部を有効に機能させるためには、このキャップを前記遮光位置でロックするロック部を設けておくことが望ましい。
【００２１】
特に、使用者が転写具の非使用時に確実にキャップを遮光位置とするよう促すための構成として、ロック部が作動する遮光位置までキャップを動作させることを促すための遮光動作惹起部を設けておけば、使用者が誤ってキャップを露出位置とした状態で転写具を放置してしまうという不具合を有効に回避することができる。
【００２２】
そして上述した遮光動作惹起部の具体的な構成としては、この遮光動作惹起部を、キャップを遮光位置の近傍で露出位置へ向けて弾性付勢する弾性付勢部を有する構成とすれば、使用者がキャップを遮光位置にし損ねた場合にはキャップが露出位置へ向けて付勢されることで遮光位置に成り得ない状態であることが使用者にとって明確に視認でき、改めて遮光位置とする操作を使用者に有効に促し得るものとなる。
【発明の効果】
【００２３】
本発明によれば、遮光性容器内で変色する前の状態に安定して維持された転写物が転写される転写具を提供することができる。
【図面の簡単な説明】
【００２４】
【図１】本発明の一実施形態に係る外観図。
【図２】同正面図。
【図３】同他の正面図。
【図４】同実施形態に係る転写具本体の構成説明図。
【図５】同スライダの正面図。
【図６】同リフィルの正面図。
【図７】同背面図。
【図８】図６に係る構成説明図。
【図９】図７に係る構成説明図。
【図１０】同リフィルを示す一部を省略した平断面図
【図１１】同キャップの正断面図。
【図１２】同転写具本体及びキャップを示す平断面図図。
【図１３】図１２に係る動作説明図。
【図１４】同作用説明図。
【図１５】同実施形態に係る動作説明図。
【図１６】同上。
【図１７】同上。
【図１８】同実施形態の変形例に係る構成説明図。
【図１９】図１８に係る動作説明図。
【図２０】同実施形態の他の変形例に係る構成説明図。
【図２１】同要部に係る外観図。
【図２２】同要部を示す正断面図。
【図２３】図２２に係る動作説明図。
【発明を実施するための形態】
【００２５】
以下、本発明の一実施形態について図面を参照して説明する。
【００２６】
本実施形態に係る転写具は、図１に示すように、例えば転写物としてテープ状の基材３２に塗工されたアクリル系粘着剤３１を主体とする粘着剤３１を採用し、所要の長さずつ送り出した粘着剤３１を紙片等の対象物の表面に転写ヘッド２２を押し付けた状態で表面に沿ってスライドさせることにより転写させて使用するものである。なお転写テープ３は、例えば樹脂製の長尺かつ薄肉な基材３２の一方の面に予め転写物たる粘着剤３１を塗布したものである。
【００２７】
本実施形態の転写具１は、転写テープ３と、この転写テープ３を収容した遮光性容器たるリフィル２と、このリフィル２を保持し、使用者によって直接扱われる転写具本体１とを主たる構成部品としている。
【００２８】
この本実施形態にて転写物として適用されている粘着剤３１は、特定の波長を有する紫外光が照射されると発色し自然条件下の光が照射されると無色となるジアリールエテン系のフォトクロミック化合物を含むことにより、紫外光が照射されると発色状態となり自然条件下の光が照射されると消色状態となる特性を有する。
【００２９】
またここで、「自然条件下の光」とは、太陽光や室内灯に照射された条件下での光を意味する。具体的には可視光を主体とし、太陽光に含まれる５〜６％程度の紫外光や蛍光灯に含まれる微量の紫外光が含まれる光のことである。すなわち、太陽光と同じか、それ以下の割合で紫外光を含んでいる光のことを指す。
【００３０】
これより、転写テープ３の構成について説明する。粘着剤３１は、主に添加対象物たるアクリル系粘着剤３１を主体とし、このアクリル系粘着剤３１の重量に対し、フォトクロミック化合物を０．００５〜５．０重量％、好ましくは０．０５〜３．０重量％、より好ましくは０．１〜１．０重量％添加されたものである。そしてこのフォトクロミック化合物は、本実施形態では、例えば波長３６５ｎｍの紫外光が照射されると発色し自然条件下の光が照射されると無色となるジアリールエテン系のフォトクロミック化合物である。しかし勿論、前記の紫外光は、当該フォトクロミック化合物や本実施形態に用い得る他のフォトクロミック化合物が発色し得る波長の光であれば良く、斯かる紫外光の波長は前記の３６５ｎｍに限定されることはない。本実施形態では具体的には当該ジアリールエテン系のフォトクロミック化合物の一例として、１，２−ビス（２−メチルベンゾ（ｂ）チオフェン−３−イル）ヘキサフルオロシクロペンテン（1,2-Bis(2-methylbenzo(b)thiophen-3-yl)hexafluorocyclopentene）を使用している。しかし勿論、「紫外光が照射されると発色し自然条件下の光が照射されると無色となる」という特性を満たすジアリールエテン系のフォトクロミック化合物であれば、既存のものであっても、また勿論今後発見されるものであっても有効に適用し得る。また勿論、当該フォトクロミック化合物はジアリールエテン系のものの他、スピロピラン系のフォトクロミック化合物であっても良く、これらの化合物が混合されたものであっても良い。
【００３１】
ここで、本実施形態に係る転写具は、光が照射されると消色する転写物たる粘着剤３１と、粘着剤３１を遮光した状態で収納する遮光性容器たるリフィル２とを具備し、このリフィル２が、外壁に配置された部品同士の接合部を外方から遮光し得るように構成している遮光接続部Ｘを有していることを特徴とする。具体的には、特定の波長を有する紫外光が照射されると発色し可視光又は自然条件下の光が照射されると無色となるフォトクロミック化合物を含むことにより可視光又は自然条件下の光が照射されると発色状態から消色状態となる転写物たる粘着剤３１と、発色状態にある前記転写物を可視光又は自然条件下の光から遮光された状態で収納し、粘着剤３１の前記発色状態を維持する遮光性容器たるリフィル２とを具備し、このリフィル２が、外壁に配置された部品同士の接合部を外方から遮光し得るように構成している遮光接続部Ｘを有していることを特徴とするものである。
【００３２】
続いて以下、この転写具の具体的な構成について、すなわち転写具本体１及びリフィル２の具体的な構成について説明する。
【００３３】
転写具本体１は、図１〜図５に示すように、主にリフィル２を被覆している第一ケース１１と、第一ケース１１に回転可能に支持された繰出しギア部１２及び巻取りギア部１３と、第一ケース１１にヒンジを介して開閉可能に取り付けられた第二ケース１４と、リフィル２に係り合うとともに第二ケース１４にスライド可能に支持されるスライダ１５とを有している。
【００３４】
第一ケース１１は、例えば樹脂製の一体成型品であり、繰出しギア部１２及び巻取りギア部１３を取り付けている側壁部分の端部からＵ字状に周壁を起立させた形状をなし、Ｕ字状の周壁の中央側で第二ケース１４を開閉可能に接続すると共にその接続箇所に対向する開口部分からリフィル２の一部を露出させてなる。
【００３５】
繰出しギア部１２は、特に図４に示すように、第一ケース１１の正面視略中央に回転可能に取り付けられており、転写物である粘着剤３１が転写される際の回転を巻取りギア部１３に伝達する繰出しギア１２ａと、繰出しギア１２ａの中央部分に取り付けられリフィル２側に係り得る繰出しコア１２ｂと、これら繰出しギア１２ａ及び繰出しコア１２ｂとの相対的な回転を許容する滑り機構１２ｃとを有している。
【００３６】
巻取りギア部１３は、特に図４に示すように、繰出しギア１２ａに噛合する巻取りギア１３ａとこの巻取りギア１３ａから一体的に突出しリフィル２側に係り得る巻取りコア１３ｂとを有している。
【００３７】
第二ケース１４は、特に図４に示すように、正面視中央に配置された円形状の窓穴１４１と、スライダ１５側の一部を移動可能に収容する矩形状の開口であるつまみ保持部１４２と、スライダ１５をスライド移動可能に保持するスライダ保持部１４３とを有している。窓穴１４１は、転写具の使用時にリフィル２の内部を視認するための開口である。つまみ保持部１４２は、開口の近傍に設けられたつまみ保持穴１４４と、スライダ１５を一端側及び他端側で保持するための露出位置決め部１４５及び遮光位置決め部１４６とを有している。
【００３８】
スライダ１５は、特に図５に示すように、第二ケース１４にスライド可能に取り付けられた例えば薄板状の樹脂による一体成型品であり、使用者に操作させるためのつまみ部１６と、リフィル２に係り合うための係合穴１７と、上述した窓穴１４１に連通したときにリフィル２の内部を視認させるための透過穴１８と、係合穴１７から他端側に延び、係合穴１７がリフィル２側に係り得なかったときにリフィル２側に当接し得る乗り上げ板１９とを有している。つまみ部１６は、スライダ１５を一端側から他端側へ移動させる際に主に機能する第一つまみ部１６１と、スライダ１５を他端側から一端側へ移動させる際に機能する第二つまみ部１６２とを有している。第一つまみ部１６１は、他端側へスライダ１５を移動させる際に使用者の指等に当接する第一つまみ１６３と、第一つまみ１６３が操作された際に第二ケース１４側の露出位置決め部１４５との係り合いが解除される露出側突起１６４とを有している。第二つまみ部１６２は、一端側へスライダ１５を移動させる際に使用者の指等に当接する第二つまみ１６５と、第二つまみ１６５が操作された際に第二ケース１４側の遮光位置決め部１４６との係り合いが解除される遮光側突起１６６とを有している。
【００３９】
リフィル２は、本実施形態に於いては本発明の遮光性容器に該当するものである。当該リフィル２は、図６〜図１１に示すように、転写テープ３を収容しているリフィル本体２０と、このリフィル本体２０内で転写テープ３を直接巻回保持している巻回軸部２１と、使用時に転写テープ３を紙等の対象物に押し付けるための転写ヘッド２２と、リフィル本体２０の他端側に移動可能に取り付けられ転写ヘッド２２を被覆しているキャップ２３とを有している。
【００４０】
リフィル本体２０は、同図に示すように、主にリフィル２の外壁をなすものであり、未使用の転写テープ３の残量を確認するための窓部２０１と、巻回軸部２１の繰出しリール２１１を支持している繰出しリール支持部２０２と、同じく巻回軸部２１の巻取りリール２１２を支持している巻取りリール支持部２０３と、キャップ２３の動作範囲並びに動作軌跡を決定するために溝状に設けられた正面側レール２０４及び背面側レール２０５とを有している。窓部２０１は、第二ケース１４の窓穴１４１及びスライダ１５の透過穴１８に連通したときにのみリフィル２の内部の一部が視認し得るように形成されている。繰出しリール支持部２０２は、繰出しリール２１１に対して凹凸係合しながら回転可能に保持しているものであり、正面視並びに背面視において繰出しリール２１１に重層する重なり面２０６を有している。巻取りリール支持部２０３は、巻取りリール２１２に対して凹凸係合しながら回転可能に保持しているものであり、正面視並びに背面視において巻取りリール２１２に重層する重なり面２０７を有している。正面側レール２０４は、リフィル本体２０の他端側に溝状に設けられたものであり、他端側の先端部にはキャップ２３の一部と係り合って当該キャップ２３を他端側に位置付けた遮光位置（Ｑ）で位置決めし得るロック部２０９を有するとともに、このロック部２０９の若干一端よりにはキャップ２３の一部の弾性変形を促すための変形助長部２０８を有している。背面側レール２０５は、上述した正面側レール２０４と略同一の形状をなしており、キャップ２３の一部を位置決めし得るロック部２０９を有しているが、変形助長部２０８は設けられていない。
【００４１】
巻回軸部２１は、特に図１０に示すように、未使用の転写テープ３を巻回保持しておくための繰出しリール２１１と、いわゆる使用後の転写テープ３つまり粘着剤３１を転写した後の基材３２を巻回するための巻取りリール２１２とを有している。繰出しリール２１１は主に転写テープ３を保持する繰出しリール本体２１３と、リフィル本体２０に対して正面視または背面視で重層し得る重なり面２１４とを有している。巻取りリール２１２は主に基材３２を巻回する巻取りリール本体２１５と、リフィル本体２０に対して正面視又は背面視で重層し得る重なり面２１６とを有している。ここで本実施形態では、繰出しリール２１１の重なり面２１４及び巻取りリール２１２の重なり面２１６が、リフィル本体２０における繰出しリール支持部２０２の重なり面２０６及び巻取りリール支持部２０３の重なり面２０７に対し、リフィル２の外壁の厚み方向に互いに重層することにより、本発明に係る重層接続部及び遮光接続部Ｘを構成している。
【００４２】
転写ヘッド２２は，リフィル本体２０からはみ出す位置まで転写テープ３を導くとともに転写時には転写テープ３とともに紙等の対象物に押し付けられるものであり、対象物に押し付けられる際の力が転写テープ３に均等に伝わるよう弾性変形可能に構成された転写ローラ２２ａと、この転写ローラ２２ａを回転可能に支持するローラ軸２２ｂとを有している。
【００４３】
キャップ２３は、特に図１１に示すように、リフィル本体２０とともにリフィル２の外壁をなすとともに不使用時の転写ヘッド２２を被覆しておくためのものである。このキャップ２３は具体的に説明すると、転写物を転写対象物に転写するための転写ヘッド２２を露出した露出位置（Ｐ）と、転写ヘッド２２を遮光した状態で被覆する遮光位置（Ｑ）との間で動作可能に設けられたもので、いわゆる半割構造をなす第一キャップ４及び第二キャップ５とを有している。第一キャップ４は、第二キャップ５との接合部分に設けられたリブ４１と、リブ４１の表面で直接第二キャップ５に重なり合う重なり面４２と、内側に突出しリフィル本体２０の正面側レール２０４及び背面側レール２０５に沿って摺動し得る摺動突起４３と、正面側においてこの摺動突起４３を支持し弾性変形可能な突起形状に成形された弾性付勢部４４と、正面側に概略線状に突出することによりスライダ１５に設けられた係合穴１７と係合し得る係合突起４５とを有している。そして摺動突起４３は、正面側レール２０４に収容され得る正面側の摺動突起４３Ｆと、背面側レール２０５に収容され得る背面側の摺動突起４３Ｒとを有している。第二キャップ５は、第一キャップ４と略等しい外形をなすものであり、第一キャップ４のリブ４１を収容し得るリブ収容部５１と、リブ収容部５１の表面で直接第一キャップ４に係り合う重なり面と５２、内側に突出しリフィル本体２０の正面側レール２０４及び背面側レール２０５に沿って摺動し得る摺動突起５３と、正面側においてこの摺動突起５３を支持し弾性変形可能な突起形状に成形された弾性付勢部５４と、正面側に概略線状に突出することによりスライダ１５の係合穴１７と係合し得る係合突起５５とを有している。摺動突起５３は、正面側レール２０４に収容され得る正面側の摺動突起５３Ｆと、背面側レール２０５に収容され得る背面側の摺動突起５３Ｒとを有している。そして本実施形態では、このキャップ２３を遮光位置（Ｑ）とした際に第一キャップ４の重なり面と第二キャップ５の重なり面とを重層させることにより、本発明に係る遮光接続部Ｘ且つ重層接続部を構成している。
【００４４】
しかして本実施形態では、図１２〜図１７に示すように、スライダ１５に設けられたつまみ部１６の操作により、キャップ２３が図１２及び図１７に示す遮光位置（Ｑ）と、図１３及び図１５に示す露出位置（Ｐ）との間で移動可能に構成されている。図１２〜図１４は、つまみ部１６の動作によるキャップ２３の挙動を示す便宜上、第一ケース１１及びキャップ２３以外のリフィル２の構成要素を省略した平断面を示している。
【００４５】
先ず図１２に示す遮光位置（Ｑ）では、つまみ部１６は第二ケース１４のつまみ保持部１４２のつまみ保持穴１４４における他端側に位置付けられるとともに、第二つまみ部１６２の遮光側突起１６６はつまみ保持部１４２の遮光位置決め部１４６に係り合った状態となることによりスライダ１５自体が他端側に位置決めされた状態となっている。そして同図に示す状態から第二つまみ部１６２の第二つまみ１６５を一端側に押圧すると、第二つまみ１６５は若干内方、すなわちリフィル２へ向けて弾性変形しながらスライダ１５が一端側へ移動する。そのため当該弾性変形により内方へ動作した遮光側突起１６６は遮光位置決め部１４６との係り合いが解除される。しかる後につまみ部１６がつまみ保持穴１４４の一端側へ到着するときには、第一つまみ部１６１の露出側突起１６４は表面にアールが施されているため、経過的に外方へ弾性変形しながら露出位置決め部１４５を円滑に乗り越え、当該露出位置決め部１４５と係り合うことによりスライダ１５自体が一端側へ位置決めされる。これら一連の動作によるスライダ１５の移動により、スライダ１５の係合穴１７に収容された係合突起４５、５５が動作することによりキャップ２３が動作する。また他方、図１３に示す露出位置（Ｐ）から図１２に示す遮光位置（Ｑ）へすべくスライダ１５を動作させる場合の動作終端では、上述した遮光側突起１６６の他端側が傾斜面を設けたテーパ形状に形成されているため、遮光位置決め部１４６を円滑に乗り越え、確実に係り合う。
【００４６】
ここで図１４に示すように、万が一つまみ部１６が他端側で無い位置で転写具本体１がリフィル２を収容する場合、同図のように、キャップ２３の係合突起は係合穴１７に収容され得ずにリフィル２の乗り上げ板１９に乗り上げた状態となる。この場合には、つまみ部１６を他端側へ動作することにより係合突起４５、５５上を乗り上げ板１９が摺動することで、改めて係合突起４５、５５が係合穴１７に収容される図１２の状態となり、正確なキャップ２３の動作が担保される。
【００４７】
また本実施形態では、図１５〜図１７に示すように、スライダ１５の動作により、キャップ２３はリフィル本体２０に対する向き、すなわち相対角度を維持しながらスライド動作を行ない得るものとなっている。これはキャップ２３がスライダ１５と係り合う係合突起４５、５５を設けた位置と、キャップ２３がリフィル本体２０と係り合う摺動突起４３、５３を設けた位置とが正面視異なる位置に設けていることと、スリット状の係合穴１７内を直線状に突出した係合突起がスライダ１５の動作に伴い回転動作を抑止されながら相対移動することによる。
【００４８】
以下、同図においてスライダ１５の動作に伴って起こるキャップ２３の正面視の動作について説明する。図１５に示された露出位置（Ｐ）にあるキャップ２３を遮光位置（Ｑ）へとすべくスライダ１５を他端側へ動作させると、正面側レール２０４及び背面側レール２０５の形状に沿って摺動突起４３、５３が移動するため、動作開始後しばらくは第一キャップ４及び第二キャップ５が平行に動作し、しかる後にこれらが相寄る方向に動作する。このとき、係合突起４５、５５同士は互いに係合穴１７にそってスライド方向と直交する方向に動作する。そして図１６では、キャップ２３を遮光位置（Ｑ）とする手前でスライダ１５を手放したときを示している。つまり同図に示した位置では、正面側の摺動突起４３Ｆ、５３Ｆは正面側レール２０４において狭いカーブ状に形成された変形助長部２０８にさしかかったとき、この変形助長部２０８によって正面側の摺動突起４３Ｆ、５３Ｆの向きが変えられる方向の力が働く。これにより摺動突起４３Ｆ、５３Ｆを支持している弾性変形部４４、５４が一時的に弾性変形をすることとなる。つまりこの弾性変形部４４、５４が弾性変形しているときにスライダ１５を手放すと、この弾性変形部４４、５４の弾性反発力により第一キャップ４及び第二キャップ５はともに露出位置（Ｐ）側へ付勢され、使用者にとって遮光位置（Ｑ）となり得ていないことが明確に視認し得る同図に示す状態となる。そして同図に示す状態を視認した使用者は次にはしっかりとキャップ２３を遮光位置（Ｑ）へとするように促され、図１７に示す遮光位置（Ｑ）へと動作させるようになる。そして図１７では摺動突起４３、５３は正面側レール２０４、背面側レール２０５の他端縁に設けられたロック部２０９に挟まれることにより、キャップ２３は遮光位置（Ｑ）で確実に位置決めされる。
【００４９】
つまり本実施形態では、このキャップ２３の動作途中において一時的に露出位置（Ｐ）へ向けて弾性付勢する弾性付勢部４４、５４とこの弾性変形を助長する変形助長部２０８とにより、本発明に係る遮光動作惹起部Ｙを設けていることになっている。
【００５０】
以上のような構成とすることにより、本実施形態に係る転写具はリフィル２に遮光接続部Ｘを設けることにより遮光性容器たるリフィル２内で消色前の発色状態に安定して維持された転写物である粘着剤３１が転写されることとなるので、フォトクロミック化合物自体の発色により粘着剤３１を転写した位置の確認が容易であり且つ転写時における粘着剤３１の転写位置がより容易に視認できるとともに、可視光又は自然条件下の光のもとで消色することにより粘着剤３１は消色状態となるので転写した跡を目立たなくし得るものとなっている。
【００５１】
また、リフィル２の外壁に配置された部品同士のみの構成により遮光がなされ、しかも部品同士の相対動作を有効に担保できる構成として本実施形態では、この遮光接続部Ｘを、リフィル２の外壁の厚み方向に重なる重なり面４２、５２、２０６、２０７、２１４、２１６を有する重層接続部としている。
【００５２】
加えて、斯かる重層接続部を、転写物たる粘着剤３１、詳細には転写テープ３をともに構成する基材３２を介して粘着剤３１を巻回保持する巻回軸部２１と、巻回軸部２１を保持する容器本体との間に設けたものとすることで、リフィル２の遮光性と動作性を好適に両立させている。
【００５３】
また、上記した重層接続部を、粘着剤３１を転写対象物に転写するための転写ヘッド２２を露出した露出位置（Ｐ）と、転写ヘッド２２を遮光した状態で被覆する遮光位置（Ｑ）との間で動作可能に設けられたキャップ２３にも設けるようにすることで、開閉することにより最も光が入り易い当該箇所を確実に遮光している。
【００５４】
そしてキャップ２３に設けた重層接続部を有効に機能させるために本実施形態では、このキャップ２３を遮光位置（Ｑ）でロックするロック部２０９を設けている。
【００５５】
特に本実施形態では、使用者が転写具の非使用時に確実にキャップ２３を遮光位置（Ｑ）とするよう促すための構成として、ロック部２０９が作動する遮光位置（Ｑ）までキャップ２３を動作させることを促すための遮光動作惹起部Ｙを設けているので、使用者が誤ってキャップ２３を遮光位置（Ｑ）と成り得ていない状態で転写具を放置してしまうという不具合を有効に回避している。
【００５６】
そして上述した遮光動作惹起部Ｙの具体的な構成として本実施形態では、この遮光動作惹起部Ｙを、キャップ２３を遮光位置（Ｑ）の近傍で露出位置（Ｐ）へ向けて弾性付勢する弾性付勢部４４、５４を設けた構成とすることで、使用者がキャップ２３を遮光位置（Ｑ）にし損ねた場合にはキャップ２３が露出位置（Ｐ）へ向けて付勢されることで遮光位置（Ｑ）に成り得ない状態であることが使用者にとって明確に視認でき、改めて遮光位置（Ｑ）とする操作を使用者に有効に促し得るものとなっている。
【００５７】
＜変形例＞
以下に本実施形態の変形例を示す。当該変形例において、上記実施形態と同じ構成要素に該当するものには同じ符号を付すとともに、その詳細な説明を省略するものとする。
【００５８】
本変形例に係る転写具は、図１８及び図１９に示すように、上記実施形態と全く同じリフィル２を有したものであるが、転写具本体１Ａが、対象物への押圧動作に応じてキャップ２３を露出位置（Ｐ）へとし得る態様を示したものである。
【００５９】
この転写具本体１は、リフィル２を主に収容する第一ケース１１Ａと、この第一ケース１１Ａにスライド可能に設けられた例えば概略四角筒状を成すスライダ１５Ａとを有している。このスライダ１５Ａは、第一ケース１１Ａにより常に他端側へ弾性付勢されるとともに、上記実施形態と同じ形状をなす係合穴１７Ａを有したものである。なおスライダ１５Ａが弾性付勢されながら支持される具体的構成は既存の構成であるので説明は省略する。
【００６０】
そして係る転写具を紙等の対象物へ向けて押圧すると、スライダ１５Ａが第一ケース１１Ａによる弾性付勢に抗して一端側へ移動する。この移動に伴い、係合穴１７Ａの位置も一端側へ移動する。この係合穴１７Ａの移動により、キャップ２３側の係合突起４５、５５並びに摺動突起４３、５３が一端側へと移動し、図１９に示す露出位置（Ｐ）において転写ヘッド２２はスライダ１５から正面視若干はみ出した位置となり、円滑な転写が担保される。
【００６１】
このような変形例であってもキャップ２３を上記実施形態同様にスムースに動作させることにより、露出位置（Ｐ）における円滑な転写作業と遮光位置（Ｑ）による確実な遮光とが担保される。
【００６２】
＜他の変形例＞
上記実施形態並びに変形例では、本発明に係る遮光性容器を交換部品であるリフィル２とした態様をそれぞれ開示したが、遮光性容器はリフィル２に限られない。すなわち当該変形例の如く、使用者に直接把持され得る転写具本体１Ｂを遮光性容器としても良い。
【００６３】
本変形に係る転写具は、図２０〜図２３に示すように、いわゆるノック動作によってキャップ２３を互いに露出位置（Ｐ）、遮光位置（Ｑ）への開閉し得るタイプのものである。この転写具は、図２０に示すように、遮光性容器である転写具本体１Ｂと、この転写具本体１Ｂに収容されたリフィル２Ｂとを有している。転写具本体１Ｂは、主にリフィル２Ｂを支持する第一ケース１１Ｂと、この第一ケース１１Ｂに設けられ、ノック動作によるリフィル２Ｂの突没動作とキャップ１０Ｂの開閉動作を司るノック機構１５Ｂと、第一ケース１１Ｂとともにリフィル２を収容し得る第二ケース１４Ｂと、第一ケース１１Ｂに開閉動作可能に設けられたキャップ１０Ｂとを有している。
【００６４】
しかして本変形例に係る遮光性容器たる転写具本体１Ｂでは、キャップ１０Ｂと第一ケース１１Ｂとに第一ケース１１Ｂの外壁の厚み方向にそれぞれ重なり合う重なり面１０Ｂ１、１１Ｂ１、キャップ１０Ｂと第二ケース１４Ｂとにそれぞれ第二ケース１４Ｂの外壁の厚み方向に重なり合う重なり面１０Ｂ１、１４Ｂ１を設けることにより、本発明に係る遮光接続部Ｘ且つ重層接続部を構成している。
【００６５】
またリフィル２は例えば、おもに遮光性を有する樹脂によって外壁が構成されたリフィル本体２０Ｂを主体としたもので、転写テープ３を巻回保持している図示しない巻回軸部を内蔵しつつ、転写テープ３を支持した転写ヘッド２２のみを露出した形状としている。
【００６６】
具体的には、図２１に示すように、キャップ１０Ｂの端部に重なり面１０Ｂ１を設けておくことにより、図２２に示す遮光位置（Ｑ）では確実に転写具本体１内部に光が差し込まないようにするとともに、図２３に示す露出位置（Ｐ）では図示しない転写ヘッド２２による転写動作を妨げないように位置決めされるようにしている。
【００６７】
このようなものであっても、上記実施形態並びに変形例と同様の効果を奏する。すなわち、不使用時に転写物たる粘着剤３１に可視光又は自然条件下の光が当たってしまうことを有効に回避し得る転写具を提供することができる。
【００６８】
以上、本発明の実施形態について説明したが、各部の具体的な構成は、上述した実施形態のみに限定されるものではなく、本発明の趣旨を逸脱しない範囲で種々変形が可能である。
【００６９】
例えば、上記実施形態並びに各変形例ではいずれもリフィル交換式の転写具に本発明を適用した態様を開示したが、勿論、転写具本体を遮光性容器とし、転写物や機構部品が交換不能に構成された態様の転写具に本発明を適用したものであってもよい。また粘着剤の具体的な組成やキャップを動作させる機構といった具体的な態様は上記実施形態のものに限定されることはなく、既存のものを含め、種々の態様のものを適用することができる。
【００７０】
その他、各部の具体的構成についても上記実施形態に限られるものではなく、本発明の趣旨を逸脱しない範囲で種々変形が可能である。
【産業上の利用可能性】
【００７１】
本発明は粘着剤等の転写物を転写対象面に転写する際に用いる転写具として利用することができる。
【符号の説明】
【００７２】
２…遮光性容器（リフィル）
２０…容器本体（リフィル本体）
２０９…ロック部
２１…巻回軸部
２２…転写ヘッド
２３、１０Ｂ…キャップ
３１…転写物
４２、５２、２０６、２０７、２１４、２１６…重なり面
４４…弾性付勢部
１Ｂ…遮光性容器（転写具本体）
１０Ｂ１、１１Ｂ１、１４Ｂ１…重なり面
Ｘ…遮光接続部、重層接続部（遮光接続部）
Ｙ…遮光動作惹起部
Ｐ…露出位置
Ｑ…遮光位置
【図１】
2013095126.tif 000003
【図２】
2013095126.tif 000004
【図３】
2013095126.tif 000005
【図４】
2013095126.tif 000006
【図５】
2013095126.tif 000007
【図６】
2013095126.tif 000008
【図７】
2013095126.tif 000009
【図８】
2013095126.tif 000010
【図９】
2013095126.tif 000011
【図１０】
2013095126.tif 000012
【図１１】
2013095126.tif 000013
【図１２】
2013095126.tif 000014
【図１３】
2013095126.tif 000015
【図１４】
2013095126.tif 000016
【図１５】
2013095126.tif 000017
【図１６】
2013095126.tif 000018
【図１７】
2013095126.tif 000019
【図１８】
2013095126.tif 000020
【図１９】
2013095126.tif 000021
【図２０】
2013095126.tif 000022
【図２１】
2013095126.tif 000023
【図２２】
2013095126.tif 000024
【図２３】
2013095126.tif 000025